(57)【要約】チャネル状態情報（ＣＳＩ）を取得する方法は、送受信ポイント（ＴＲＰ）からユーザ端末（ＵＥ）に、リソース設定とＣＳＩ報告設定の両方が通常、アクティブ化または非アクティブ化に設定されていることを示す情報を送信することを含む。アクティブ化に設定されているリソース設定は、ＵＥに、ＣＳＩ参照信号（ＲＳ）がＴＲＰから送信されると想定させる。アクティブ化に設定されているＣＳＩ報告設定は、ＵＥに、ＣＳＩ報告を実行させる。この方法は、リソース設定がアクティブ化に設定されている場合に、所定のタイプの時間領域挙動に従って送信されたＣＳＩ−ＲＳをＵＥとともに受信することをさらに含む。本方法は、ＣＳＩ報告設定がアクティブ化に設定されている場合、ＵＥが、所定のタイプの時間領域挙動に従ってＣＳＩ報告を実行することをさらに含む。
2020519124.tif 000002
【特許請求の範囲】
【請求項１】
無線通信システムにおいてチャネル状態情報（ＣＳＩ）を取得する方法であって、
リソース設定とＣＳＩ報告設定の両方が通常、アクティブ化または非アクティブ化に設定されていることを示す情報を送受信ポイント（ＴＲＰ）からユーザ端末（ＵＥ）に送信することと、
前記リソース設定が前記アクティブ化に設定されると、前記ＵＥにＣＳＩ−参照信号（ＲＳ）が前記ＴＲＰから送信されると想定させることと、
前記アクティブ化に設定されている前記ＣＳＩ報告設定は、前記ＵＥにＣＳＩ報告を実行させることと、
前記リソース設定が前記アクティブ化に設定されている場合、前記ＵＥが、所定のタイプの時間領域挙動に従って送信された前記ＣＳＩ−ＲＳを受信することと、
前記ＣＳＩ報告設定が前記アクティブ化に設定されている場合、前記ＵＥが、前記所定のタイプの時間領域動作に従って前記ＣＳＩ報告を実行することと、
を具備する、方法。
【請求項２】
前記所定のタイプは、非周期的である、
請求項１に記載の方法。
【請求項３】
前記情報は、下りリンク制御情報（ＤＣＩ）である、
請求項２に記載の方法。
【請求項４】
前記所定のタイプは、半持続的である、
請求項１に記載の方法。
【請求項５】
前記情報は、メディアアクセス制御要素（ＭＡＣ  ＣＥ）である、
請求項４に記載の方法。
【請求項６】
前記リソース設定は、１つ以上のリソースセットを含み、
前記アクティブ化は、前記１つ以上のリソースセットのそれぞれに設定される、
請求項１に記載の方法。
【請求項７】
前記アクティブ化は、前記１つ以上のリソースセットのうちの一つに設定される、
請求項６に記載の方法。
【請求項８】
リソース設定とＣＳＩ報告設定の両方が通常、アクティブ化または非アクティブ化に設定されていることを示す情報を、送受信ポイント（ＴＲＰ）から受信する受信機と、
前記リソース設定がアクティブ化に設定されている場合に、ＣＳＩ−参照信号（ＲＳ）が前記ＴＲＰから送信されることを決定するプロセッサと、
送信機と、を具備し、
前記アクティブ化に設定されている前記ＣＳＩ報告設定は、前記ＵＥに、ＣＳＩ報告を実行させ、
前記受信機は、前記ＣＳＩ−ＲＳが送信されるという決定に基づいて、所定のタイプの時間領域挙動に従って送信された前記ＣＳＩ−ＲＳを受信し、
前記送信機は、前記ＣＳＩ報告設定が前記アクティブ化に設定されている場合、前記所定のタイプの時間領域挙動に従って前記ＣＳＩ報告を実行する、
ユーザ端末（ＵＥ）。
【請求項９】
前記所定のタイプは、非周期的である、
請求項８に記載のＵＥ。
【請求項１０】
前記情報は、下りリンク制御情報（ＤＣＩ）である、
請求項９に記載のＵＥ。
【請求項１１】
前記所定のタイプは、半持続的である、
請求項８に記載のＵＥ。
【請求項１２】
前記情報は、メディアアクセス制御要素（ＭＡＣ  ＣＥ）である、
請求項１１に記載のＵＥ。
【請求項１３】
前記リソース設定は、１つ以上のリソースセットを含み、
前記アクティブ化は、前記１つ以上のリソースセットのそれぞれに設定される、
請求項８に記載のＵＥ。
【請求項１４】
前記アクティブ化は、前記１つ以上のリソースセットのうちの一つに設定される、
請求項１３に記載のＵＥ。
【請求項１５】
リソース設定とＣＳＩ報告設定の両方が、通常、アクティブ化または非アクティブ化に設定されていることを示す情報を、ユーザ端末（ＵＥ）に送信する送信機と、
受信機と、を具備し、
前記リソース設定が前記アクティブ化に設定されている場合、前記ＵＥに、ＣＳＩ−参照信号（ＲＳ）がＴＲＰから送信されると想定させ、
前記アクティブ化に設定されている前記ＣＳＩ報告設定は、前記ＵＥにＣＳＩ報告を実行させ、
前記送信機は、前記リソース設定が前記アクティブ化に設定されている場合、所定のタイプの時間領域挙動に従って前記ＣＳＩ−ＲＳを前記ＵＥに送信し、
前記受信機は、前記ＵＥからの前記所定のタイプの時間領域挙動に従って前記ＣＳＩ報告を受信する、
送受信ポイント（ＴＲＰ）。
【請求項１６】
前記所定のタイプは、非周期的または半持続的である、
請求項１５に記載のＴＲＰ。
【請求項１７】
前記情報は、下りリンク制御情報（ＤＣＩ）である、
請求項１６に記載のＴＲＰ。
【請求項１８】
前記所定のタイプは、半持続的である、
請求項１５に記載のＴＲＰ。
【請求項１９】
前記情報は、メディアアクセス制御要素（ＭＡＣ  ＣＥ）である、
請求項１８に記載のＴＲＰ。
【請求項２０】
前記リソース設定は、１つ以上のリソースセットを含み、
前記アクティブ化は、前記１つ以上のリソースセットのそれぞれに設定される、
請求項１５に記載のＴＲＰ。
【請求項２１】
前記アクティブ化は、前記１つ以上のリソースセットのうちの一つに設定される、
請求項２０に記載のＴＲＰ。
【発明の詳細な説明】
【技術分野】
【０００１】
本発明は、一般に、送受信ポイント（ＴＲＰ）およびユーザ端末（ＵＥ）を含む無線通信システムにおけるＣＳＩ取得およびビーム管理のアクティブ化／非アクティブ化方法に関する。
【背景技術】
【０００２】
新しい無線（ＮＲ）システムでは、大規模なアンテナアレイを用いた効率的なプリコーディングを達成するために、チャネル状態情報（ＣＳＩ）取得およびビーム管理スキームが新たに設計されている。ＮＲシステムのこのようなスキームでは、３種類の時間領域動作（周期的、非周期的、準静的）に従ってＣＳＩ参照信号（ＲＳ）送信とＣＳＩ報告が実行される。さらに、そのようなスキームでは、ｇＮｏｄｅＢ（ｇＮＢ）は、メディアアクセス制御要素（ＭＡＣ  ＣＥ）および下りリンク制御情報（ＤＣＩ）シグナリングの少なくとも１つを使用して、ＣＳＩ−ＲＳの送信をオン/オフできる。
【０００３】
一方、ロングタームエボリューション（ＬＴＥ）およびＬＴＥアドバンスト（ＬＴＥ−Ａ）の下でのレガシー技術は、ＬＴＥリリース１３までＣＳＩ−ＲＳ送信およびＣＳＩ報告をオン／オフする方法をサポートしない。
【０００４】
さらに、ＣＳＩ−ＲＳ送信およびＣＳＩ報告をオン／オフする方法を使用する新たに設計されたＣＳＩ取得およびビーム管理スキームにおけるユーザ端末（ＵＥ）手順は、３ＧＰＰ標準では決定されない。その結果、ＣＳＩ−ＲＳ送信とＣＳＩ報告がオン/オフにされた場合、ＵＥはＣＳＩ報告を適切に実行できない。
【先行技術文献】
【非特許文献】
【０００５】
【非特許文献１】３ＧＰＰ，ＴＳ３６．２１１Ｖ１４．２．０
【非特許文献２】３ＧＰＰ，ＴＳ３６．２１３Ｖ１４．２．０
【発明の概要】
【０００６】
本発明の１つまたは複数の実施形態は、送受信ポイント（ＴＲＰ）からユーザ端末（ＵＥ）に、両方の状態を示す情報を送信することを含むチャネル状態情報（ＣＳＩ）を取得する方法に関する。リソース設定とＣＳＩ報告設定は、通常、アクティブ化または非アクティブ化に設定される。アクティブ化に設定されているリソース設定により、ＵＥはＣＳＩ−参照信号（ＲＳ）がＴＲＰから送信されると想定する。アクティブ化に設定されているＣＳＩ報告設定は、ＣＳＩ報告をＵＥに実行させる。この方法は、リソース設定がアクティブ化に設定されているときに、所定のタイプの時間領域挙動に従って送信されたＣＳＩ−ＲＳをＵＥが受信することをさらに含む。本方法は、ＣＳＩ報告設定がアクティブ化に設定されている場合、ＵＥが、所定のタイプの時間領域挙動に従ってＣＳＩ報告を実行することをさらに含む。
【０００７】
本発明の１つ以上の実施形態は、リソース設定およびＣＳＩ報告設定の両方が一般にアクティブ化または非アクティブ化に設定されていることを示す情報をＴＲＰから受信する受信機、リソース設定がアクティブ化に設定されているときにＣＳＩ−ＲＳがＴＲＰから送信されることを決定するプロセッサ、および送信機を含むＵＥに関する。アクティブ化に設定されているＣＳＩ報告設定は、ＵＥに、ＣＳＩ報告を実行させる。受信機は、ＣＳＩ−ＲＳが送信されるという決定に基づいて、所定のタイプの時間領域挙動に従って送信されたＣＳＩ−ＲＳを受信する。送信機は、ＣＳＩ報告設定がアクティブ化に設定されている場合、所定のタイプの時間領域動作に従ってＣＳＩ報告を実行する。
【０００８】
本発明の１つまたは複数の実施形態は、リソース設定およびＣＳＩ報告設定の両方が、通常、アクティブ化または非アクティブ化に設定されることを示す情報をＵＥに送信する送信機と受信機とを含むＴＲＰに関する。アクティブ化に設定されているリソース設定により、ＵＥはＣＳＩ−ＲＳがＴＲＰから送信されると想定する。アクティブ化に設定されているＣＳＩ報告設定は、ＵＥに、ＣＳＩ報告を実行させる。送信機は、リソース設定がアクティブ化に設定されている場合、所定のタイプの時間領域挙動に従ってＣＳＩ−ＲＳをＵＥに送信する。受信機は、ＵＥからの所定のタイプの時間領域挙動に従ってＣＳＩ報告を受信する。
【０００９】
本発明の１つ以上の実施形態は、３ＧＰＰ規格で決定されていないＵＥ手順を明確にする方法を提供することができる。
【００１０】
本発明の他の実施形態および利点は、説明および図面から認識されるであろう。
【図面の簡単な説明】
【００１１】
【図１】図１は、本発明の実施形態に係る無線通信システムの構成を示す図である。
【図２】図２は、本発明の１つ以上の実施形態に係るリソース設定、ＣＳＩ報告設定、およびリンクの構成を示す図である。
【図３】図３は、本発明の第１の実施例の１つ以上の実施形態に係るＣＳＩ取得方式の動作例を示すシーケンス図である。
【図４】図４は、本発明の第１の実施例の１つ以上の実施形態によるＵＥ手順情報を示す図である。
【図５】図５は、本発明の第１の実施例の１つ以上の実施形態によるＵＥ手順情報を示す図である。
【図６】図６は、本発明の第１の実施例の１つ以上の実施形態によるＵＥ手順情報を示す図である。
【図７】図７は、本発明の第２の実施例の１つ以上の実施形態に係るＣＳＩ取得方式の動作例を示すシーケンス図である。
【図８】図８は、本発明の第２の実施例の１つ以上の実施形態によるＵＥ手順情報を示す図である。
【図９】図９Ａ及び図９Ｂは、本発明の第２変形例の１つ以上の実施形態に係るＣＳＩ取得方式の動作例を示すシーケンス図である。
【図１０】図１０Ａ及び図１０Ｂは、本発明の第２の変形例の１つ以上の実施形態に係るＣＳＩ取得方式の動作例を示すシーケンス図である。
【図１１】図１１は、本発明の第３の実施例の１つ以上の実施形態に係るＣＳＩ取得方式の動作例を示すシーケンス図である。
【図１２】図１２は、本発明の第３変形例の１つ以上の実施形態に係るＣＳＩ取得方式の動作例を示すシーケンス図である。
【図１３】図１３は、本発明の第４の実施例の実施形態に係るＣＳＩ取得方式の動作例を示すシーケンス図である。
【図１４】図１４は、本発明の第４変形例の１つ以上の実施形態に係るＣＳＩ取得方式の動作例を示すシーケンス図である。
【図１５】図１５は、本発明の第５変形例の１つ以上の実施形態に係るリソースセットのオン／オフを示す情報を示す図である。
【図１６】図１６は、本発明の第５変形例の１つ以上の実施形態に係るリソースセットのオン／オフを示す情報を示す図である。
【図１７】図１７は、本発明の実施形態に係るＴＲＰの概略構成を示す図である。
【図１８】図１８は、本発明の実施形態に係るＵＥの概略構成を示す図である。
【発明を実施するための形態】
【００１２】
以下、図面を参照して本発明の実施形態を詳細に説明する。本発明の実施形態では、本発明のより完全な理解を提供するために、多数の特定の詳細が述べられている。しかし、これらの特定の詳細なしで本発明を実施できることは、当業者には明らかであろう。他の例では、本発明を曖昧にすることを避けるために、周知の特徴は詳細に説明されていない。
【００１３】
以下の説明では、本発明のより完全な説明を提供するために、多くの詳細が述べられている。しかし、当業者には、これらの特定の詳細なしで本発明を実施できることが明らかであろう。他の例では、本発明を曖昧にすることを避けるために、よく知られた構造およびデバイスは、詳細ではなくブロック図形式で示されている。
【００１４】
図１は、本発明の１つ以上の実施形態による無線通信システム１である。無線通信システム１は、ユーザ端末（ＵＥ）１０、送受信ポイント（ＴＲＰ）２０、およびコアネットワーク３０を含む。無線通信システム１は、新しい無線（ＮＲ）システムであってもよい。無線通信システム１は、本明細書で説明される特定の構成に限定されず、ＬＴＥ／ＬＴＥ−Ａｄｖａｎｃｅｄ（ＬＴＥ−Ａ）システムなどの任意のタイプの無線通信システムであってもよい。
【００１５】
ＴＲＰ２０は、ＴＲＰ２０のセル内のＵＥ１０とアップリンク（ＵＬ）および下りリンク（ＤＬ）信号を通信することができる。ＤＬおよびＵＬ信号は、制御情報およびユーザデータを含むことができる。ＴＲＰ２０は、バックホールリンク３１を介してＤＬおよびＵＬ信号をコアネットワーク３０と通信し得る。ＴＲＰ２０は、基地局（ＢＳ）と呼ばれ得る。ＴＲＰ２０は、ｇＮｏｄｅＢ（ｇＮＢ）であり得る。
【００１６】
ＴＲＰ２０は、アンテナ、隣接するＴＲＰ２０と通信する通信インターフェース（例えば、Ｘ２インターフェース）、コアネットワーク３０と通信する通信インターフェース（例えば、Ｓ１インターフェース）、および、ＵＥ１０との送受信信号を処理するプロセッサまたは回路などの処理ユニットなどのＣＰＵ（中央処理装置）を含む。ＴＲＰ２０の動作は、プロセッサがメモリに格納されたデータおよびプログラムを処理または実行することにより実装され得る。しかしながら、ＴＲＰ２０は、上述のハードウェア構成に限定されず、当業者によって理解されるような他の適切なハードウェア構成によって実現されてもよい。無線通信システム１のより広いサービスエリアをカバーするように、多数のＴＲＰ２０を配置することができる。
【００１７】
ＵＥ１０は、多入力多出力（ＭＩＭＯ）技術を使用して、制御情報およびユーザデータを含むＤＬおよびＵＬ信号をＴＲＰ２０と通信することができる。ＵＥ１０は、移動局、スマートフォン、携帯電話、タブレット、モバイルルーター、またはウェアラブルデバイスなどの無線通信機能を有する情報処理装置であってもよい。無線通信システム１は、１つまたは複数のＵＥ１０を含むことができる。
【００１８】
ＵＥ１０は、プロセッサなどのＣＰＵ、ＲＡＭ（ランダムアクセスメモリ）、フラッシュメモリ、およびＴＲＰ２０およびＵＥ１０との間で無線信号を送受信する無線通信装置を含む。以下に説明するＵＥ１０の動作は、ＣＰＵがメモリに格納されたデータおよびプログラムを処理または実行することにより実装され得る。ただし、ＵＥ１０は、上述したハードウェア構成に限定されず、例えば、以下に説明する処理を実現する回路で構成されてもよい。
【００１９】
（ビーム管理およびＣＳＩ取得のフレームワーク）
本発明の１つ以上の実施形態によれば、ＵＥ１０は、「リソース設定」、「ＣＳＩ報告設定」、および「リンク」を使用してビーム管理およびＣＳＩ取得を実行することができる。図２は、本発明の１つ以上の実施形態に係るリソース設定、ＣＳＩ報告設定、および「リンク」の構成を示す図である。図２示すように、リソース設定はリンクを介してＣＳＩ報告設定に関連付けられる。図２では、リソース設定＃０は、リンク＃０および＃１を介してＣＳＩ報告設定＃０および＃１にそれぞれ関連付けられる。リソース設定＃１および＃２は、それぞれリンク＃２および＃３を介してＣＳＩ報告設定＃０に関連付けられている。
【００２０】
リソース設定は、少なくとも１つの「リソースセット」を含む。図２に示すように、リソース設定＃０は、リソースセット＃０〜＃２を含む。各リソースセットには、少なくとも１つのＣＳＩ−ＲＳリソースが含まれる。ここで、「リソースセット」は「ＣＳＩ−ＲＳリソースセット」と呼ぶことができる。
【００２１】
さらに、リソース設定は、チャネル測定リソース（ＣＭＲ）情報、干渉測定リソース（ＩＭＲ）情報、および時間領域挙動を含み得る。ＣＭＲ情報には、ＲＳ情報（ＣＳＩ−ＲＳリソース、復調基準信号（ＤＭ−ＲＳ）リソース、サウンディング参照信号リソース、アンテナポート数、リソース要素（ＲＥ）情報など）が含まれる。ＩＭＲ情報は、ゼロパワー（ＺＰ）ＣＳＩ−ＲＳ、非ゼロパワー（ＮＺＰ）ＣＳＩ−ＲＳ、およびＤＭ−ＲＳのうちの少なくとも１つに関する情報を含む。
【００２２】
リソース設定の時間領域挙動において、ＣＳＩ−ＲＳ送信のための３種類の時間領域挙動（周期的、非周期的、および半持続的）のうちの少なくとも１つが指定され得る。時間領域の振る舞いは、周期的、非周期的、半持続的送信のタイミングオフセットが含んでもよい。
【００２３】
例えば、リソース設定の時間領域挙動において、ＣＭＲ情報およびＩＭＲ情報のそれぞれに対して、周期的、非周期的、および半持続性の異なるパラメータが指定され得る。例えば、リソース設定の時間領域の動作では、共通のパラメータが、ＣＭＲ情報とＩＭＲ情報の両方に指定されてもよい。
【００２４】
例えば、リソース設定の時間領域挙動では、異なるパラメータがリソースセットのそれぞれに指定されてもよい。例えば、リソース設定の時間領域挙動では、共通のパラメータが、リソースセットに共を指定されてもよい。
【００２５】
例えば、リソース設定の時間領域挙動では、異なるパラメータが各ＣＳＩ−ＲＳリソースに対して指定されてもよい。例えば、リソース設定の時間領域挙動では、共通のパラメータが、ＣＳＩ−ＲＳリソースに指定されてもよい。
【００２６】
ＣＳＩ報告設定は、時間領域挙動、周波数粒度、ＣＳＩパラメータ、ＣＳＩタイプ、およびコードブック情報を含む。ＣＳＩ報告設定の時間領域挙動では、ＣＳＩ−ＲＳ報告の３種類の時間領域挙動（周期的、非周期的、および半持続的）の少なくとも１つが指定されてもよい。周波数粒度は、サブバンド、部分帯域、または広帯域を示していてもよい。ＣＳＩパラメータでは、ランクインジケーター（ＲＩ）、ＣＳＩ−ＲＳリソースインジケーター（ＣＲＩ）、プリコーディングマトリックスインジケーター（ＰＭＩ）、チャネル品質インジケーター（ＣＱＩ）、および／または参照信号受信電力（ＲＳＲＰ）が指定されてもよい。各ＣＳＩパラメータは、オン／オフが設定されてもよい。例えば、ＣＳＩタイプでは、ＣＳＩタイプIまたはIIが指定されてもよい。
【００２７】
本発明の１つ以上の実施形態において、リソース設定およびＣＳＩ報告設定のオン／オフは、それぞれ、ＣＳＩ−ＲＳ送信およびＣＳＩ報告のアクティブ化／非アクティブ化（オン／オフ）と呼ばれる。
【００２８】
本発明の１つ以上の実施形態では、アクティブ化（オン）に設定されているリソース設定により、ＵＥ１０は、ＣＳＩ−ＲＳがＴＲＰから送信されると仮定することができる。ＵＥ１０は、仮定に基づいてＣＳＩ−ＲＳ（例えば、非周期的ＣＳＩ−ＲＳまたは半持続的ＣＳＩ−ＲＳ）を受信してもよい。
【００２９】
本発明の１つ以上の実施形態では、リソース設定を非アクティブ化（オフ）に設定することが、ＵＥ１０に、ＣＳＩ−ＲＳがＴＲＰから送信されないことを想定させてもよい。
【００３０】
本発明の１つまたは複数の実施形態では、アクティブ化（オン）に設定されているＣＳＩ報告設定は、ＵＥ１０に、ＣＳＩ報告を実行させてもよい。
【００３１】
本発明の１つまたは複数の実施形態では、非アクティブ化（オフ）に設定されているＣＳＩ報告設定は、ＵＥ１０に、ＣＳＩ報告を実行させなくてもよい。
【００３２】
（第１の例）
本発明の第１の例の１つ以上の実施形態によれば、「オン／オフ」は、リソース設定およびＣＳＩ報告設定のそれぞれにおいて独立して指定されてもよく、ＵＥ１０は、リソース設定とＣＳＩ報告設定のそれぞれの「オン／オフ」に従って決定されるＵＥ手順に基づいてレートマッチングを実行してもよい。例えば、リソース設定の「オン／オフ」は、ＣＳＩ−ＲＳリソースセットまたはＣＳＩ−ＲＳリソースの「オン／オフ」に関して通知される。
【００３３】
図３は、本発明の第１の例の１つまたは複数の実施形態によるＣＳＩ取得方式の例示的な動作を示すシーケンス図である。
【００３４】
図３に示すように、ステップＳ１０１で、ＴＲＰ２０は、リソース設定、ＣＳＩ報告設定、およびリンクを含むＣＳＩプロセスをＵＥ２０に送信することができる。リソース設定およびＣＳＩ報告設定は、それぞれ時間領域挙動を含む。ＣＳＩプロセスは、ＣＳＩフレームワークまたは別の信号／情報と呼ばれてもよい。
【００３５】
ステップＳ１０２において、ＴＲＰ２０は、リソース設定のオン／オフおよびＣＳＩ報告設定のオン／オフを示すオン／オフ情報を送信してもよい。リソース設定とＣＳＩ報告設定のオン／オフは、個別に指定されてもよい。
【００３６】
例えば、ＴＲＰ２０は、ＴＲＩ２０がＣＳＩ−ＲＳを送信する場合、リソース設定の「オン」を指定し、ＴＲＰ２０がＣＳＩ−ＲＳを送信しない場合、リソース設定の「オフ」を指定してもよい。
【００３７】
例えば、ＴＲＰ２０は、ＴＲＩ２０がＵＥ１０にＣＳＩ報告を実行させる場合、ＣＳＩ報告設定の「オン」を指定し、ＴＲＰ２０がＵＥ１０にＣＳＩ報告を実行させない場合、ＣＳＩ報告設定の「オフ」を指定してもよい。
【００３８】
リソース設定におけるＣＳＩ−ＲＳ送信の時間領域挙動が「非周期的」または「半持続的」を示すとき、オン／オフ情報は、ＭＡＣ  ＣＥおよびＤＣＩの少なくとも一方を使用して送信されてもよい。リソース設定のＣＳＩ−ＲＳ送信の時間領域挙動が「周期的」を示す場合、オン／オフ情報は送信されてもよく送信されなくてもよい。
【００３９】
ステップＳ１０３において、ＴＲＰ２０は、リソース設定のオン／オフに基づいて、ＣＳＩ−ＲＳを送信しても送信しなくてもよい。
【００４０】
ステップＳ１０４において、ＵＥ１０は、図４の表に示されるＵＥ手順情報を使用してレートマッチング（および／またはパンクチャリング）を実行してもよい。図４は、リソース設定およびＣＳＩ報告設定のオン／オフの各組み合わせにおけるＵＥ手順を示すＵＥ手順情報を示す。
【００４１】
図４に示すように、リソース設定およびＣＳＩ報告設定の両方で「オン」が指定されている場合、ＵＥ１０は、ＣＳＩ−ＲＳが送信されていると想定し、ＵＥ１０はＣＳＩ報告を実行する。
【００４２】
リソース設定で「オン」が指定され、ＣＳＩ報告設定で「オフ」が指定される場合、ＵＥ１０は、ＣＳＩ−ＲＳが送信されないことを想定し、ＵＥ１０はＣＳＩ報告を実行しない。
【００４３】
リソース設定で「オフ」が指定され、ＣＳＩ報告設定で「オン」が指定される場合、ＵＥ１０は、ＣＳＩ−ＲＳが送信されないと想定し、ＵＥ１０は、リソース設定で最初に指定されたＣＳＩ−ＲＳリソース以外のＣＳＩ−ＲＳリソースを使用してＣＳＩ報告を実行する。別の例として、ＵＥ１０は、ＤＭ−ＲＳに基づいてＣＳＩ報告を実行してもよい。別の例として、ＵＥ１０は、ＣＳＩ以外のフィードバック情報を送信してもよい。
【００４４】
リソース設定とＣＳＩ報告設定の両方で「オフ」が指定されている場合、ＵＥ１０は、ＣＳＩ−ＲＳが送信されないことを想定し、ＵＥ１０はＣＳＩ報告を行わない。
【００４５】
別の例として、ＵＥ１０は、図５または図６の所定のテーブルに基づいてＵＥ手順を実行してもよい。
【００４６】
図５に示すように、リソース設定で「オフ」が指定され、ＣＳＩ報告設定で「オン」が指定されると、ＵＥ１０は、ＣＳＩ−ＲＳが送信されることを想定し、ＵＥ１０はＣＳＩ報告を行う。
【００４７】
図６に示すように、リソース設定で「オフ」が指定され、ＣＳＩ報告設定で「オン」が指定される場合、ＵＥ１０は、ＣＳＩ−ＲＳが送信されないことを想定し、ＵＥ１０はＣＳＩ報告を行わない。言い換えれば、ＵＥ１０は、リソース設定およびＣＳＩ報告設定の両方で「オン」が指定されている場合にのみＣＳＩ報告を実行する。
【００４８】
リソース設定の「オフ」およびＣＳＩ報告設定の「オン」の組み合わせ以外の組み合わせにおける図５および図６のＵＥ手順は、図４のＵＥ手順と同様である。
【００４９】
本発明の第１の例の１つまたは複数の実施形態では、図４−６のＵＥ手順を示す情報は、指定されたＣＳＩ−ＲＳリソース通知およびＣＳＩ報告以外の操作に使用されてもよい。
【００５０】
図３に移ると、ステップＳ１０５において、ＵＥ１０は、ＵＥ手順情報に基づいてＣＳＩ報告を実行してもよく、またはＣＳＩ報告を実行しなくてもよい。
【００５１】
（第２の例）
本発明の第２の例の１つ以上の実施形態によれば、「オン／オフ」（アクティブ化または非アクティブ化）は、リソース設定およびＣＳＩ報告設定の両方で共通に指定され、ＵＥ１０は、リソース設定とＣＳＩ報告設定間の共通の「オン/オフ」に従ったＵＥ手順に基づいてレートマッチングを実行する。この一般的な「オン/オフ」情報は、リンクの「オン/オフ」の観点から通知できる。
【００５２】
図７は、本発明の第２の例の１つまたは複数の実施形態によるＣＳＩ取得方式の例示的な動作を示すシーケンス図である。
【００５３】
図７に示すように、ステップＳ２０１で、ＴＲＰ２０は、リソース設定、ＣＳＩ報告設定、およびリンクを含むＣＳＩプロセスをＵＥ２０に送信することができる。例えば、リソース設定の時間領域挙動のタイプは、ＣＳＩ報告設定の時間領域挙動のタイプと同一である。例えば、リソース設定の時間領域挙動で「非周期的（または半持続的）」が指定されている場合、ＣＳＩ報告設定の時間領域挙動で「非周期的（または半持続的）」が指定される。
【００５４】
ステップＳ２０２において、ＴＲＰ２０は、リソース設定およびＣＳＩ報告の時間領域挙動における同一タイプが指定された場合、リソース設定とＣＳＩ報告設定との間のオン／オフの共通パラメータを示すオン／オフ情報を送信してもよい。例えば、リソース設定の「オン（またはオフ）」が指定されている場合、ＣＳＩ報告設定の「オン（またはオフ）」が指定される。
【００５５】
ステップＳ２０３において、ＴＲＰ２０は、リソース設定のオン／オフに基づいて、ＣＳＩ−ＲＳを送信してもよく送信しなくてもよい。
【００５６】
ステップＳ２０４において、ＵＥ１０は、図８の表に示されるＵＥ手順情報を使用してレートマッチング（および／またはパンクチャ）を実行してもよい。図８は、リソース設定とＣＳＩ報告設定のオン／オフの各組み合わせにおけるＵＥ手順を示すＵＥ手順情報を示す。
【００５７】
図８に示すように、リソース設定およびＣＳＩ報告設定の両方で「オン」が指定されると、ＵＥ１０は、ＣＳＩ−ＲＳが送信されると想定し、ＵＥ１０はＣＳＩ報告を実行する。
【００５８】
リソース設定とＣＳＩ報告設定の両方で「オフ」が指定されている場合、ＵＥ１０は、ＣＳＩ−ＲＳが送信されないことを想定し、ＵＥ１０はＣＳＩ報告を行わない。
【００５９】
図７に移ると、ステップＳ２０５において、ＵＥ１０は、ＵＥ手順情報に基づいてＣＳＩ報告を実行してもよいし、実行しなくてもよい。
【００６０】
したがって、本発明の第２の例の１つまたは複数の実施形態によれば、ＴＲＰ２０は、リソース設定およびＣＳＩ報告の両方が、通常、アクティブ化または非アクティブ化に設定されることを示す情報（例えば、オン／オフ情報）をＵＥ１０に送信する。ＵＥ１０は、リソース設定がアクティブ化に設定されている場合、所定のタイプの時間領域挙動（例えば、非周期的または半持続的）に従ってＴＲＰ１０から送信されたＣＳＩ−ＲＳを受信する。ＵＥ１０は、ＣＳＩ報告設定がアクティブ化に設定されている場合、所定のタイプの時間領域挙動（例えば、非周期的または半持続的）に従ってＣＳＩ報告を実行する。所定の時間領域挙動が非周期的である場合、その情報はＤＣＩであってもよい。所定の時間領域動作が半持続的である場合、その情報は、ＭＡＣ  ＣＥであってもよい。
【００６１】
さらに、本発明の第２の例の１つ以上の実施形態では、リソース設定は１つ以上のリソースセットを含み、アクティブ化（オン）は１つ以上のＣＳＩ−ＲＳリソースセットのそれぞれに設定される。さらに、アクティブ化（オン）は、１つ以上のリソースセットのうちの１つに設定される。
【００６２】
（第２の変形例）
本発明の第２の変形例の１つ以上の実施形態によれば、リソース設定をＣＳＩ報告設定に関連付けるリンクにおいて「オン／オフ」が指定されてもよい。図９Ａ、図９Ｂ、図１０Ａ、および図１０Ｂは、本発明の第２変形例の１つ以上の実施形態に係るＣＳＩ取得方式の動作例を示すシーケンス図である。図９Ａ、図９Ｂ、図１０Ａ、および図１０Ｂにおける、図７と同様のステップは、同じ参照ラベルを有する。
【００６３】
図９Ａおよび図９Ｂは、「オン」および「オフ」の両方が指定される複数のリンクを使用して１つのリソース設定がリンクされる場合のＵＥ１０の動作を示す。
【００６４】
図９に示すように、ステップＳ２０２ａにおいて、ＴＲＰ２０は、リンクのオン／オフを示すオン／オフ情報を送信してもよい。図９Ａでは、例えば、オン／オフ情報において、リソース設定＃０は、リンク＃０および＃１をそれぞれ介して、ＣＳＩ報告設定＃０および＃１にリンクされている。リンク＃０でオンが指定され、リンク＃１でオフが指定される。
【００６５】
ステップＳ２０４ｂにおいて、ＵＥ１０は、「オン」および「オフ」の両方が指定された複数のリンク（リンク＃０および＃１）を用いて１つのリソース設定（リソース設定＃０）がリンクされる場合、リソース設定が「オン」であると想定する。ＵＥ１０は、オンが指定されたリンク（リンク＃０）を使用してリンクされたＣＳＩ報告設定（ＣＳＩ報告設定＃０）に基づいてＣＳＩ報告を実行する。
【００６６】
図９Ｂでは、ステップＳ２０４ｂにおいて、「オン」と「オフ」の両方が指定された複数のリンク（リンク＃０と＃１）を使用して１つのリソース設定（リソース設定＃０）がリンクされた場合、ＵＥ１０はリソース設定が「オフ」であると想定する。
【００６７】
図１０Ａおよび１０Ｂは、「オン」および「オフ」の両方が指定される複数のリンクを使用して１つのＣＳＩ報告設定がリンクされる場合のＵＥ１０の動作を示す。
【００６８】
図６に示すように、図１０Ａを参照すると、ステップＳ２０２ｂで、ＴＲＰ２０は、リンクのオン／オフを示すオン／オフ情報を送信してもよい。図１０Ａでは、例えば、オン／オフ情報において、ＣＳＩ報告設定＃０は、それぞれリンク＃０および＃１を介してリソース設定＃０および＃１にリンクされる。リンク＃０で「オン」が指定され、リンク＃１で「オフ」が指定されている。
【００６９】
ステップＳ２０４ｃにおいて、１つのＣＳＩ報告設定（ＣＳＩ報告設定＃０）が、「オン」と「オフ」の両方が指定された複数のリンク（リンク＃０および＃１）を使用してリンクされる場合、ＵＥ１０は、ＣＳＩ報告設定は「オン」である。例えば、ＵＥ１０は、「オン」が指定されたリンク（リンク＃０）を用いてリンクされたリソース設定（リソース設定＃０）が「オン」であると想定する。
【００７０】
図１０Ｂに示すように、ステップＳ２０４ｄにおいて、「オン」および「オフ」の両方が指定された複数のリンク（リンク＃０および＃１）を使用して１つのＣＳＩ報告設定（ＣＳＩ報告設定＃０）がリンクされると、ＵＥ１０はＣＳＩ報告設定は「オフ」であると想定する。
【００７１】
（第３の例）
本発明の第３の例の１つ以上の実施形態によれば、「リソースセット」は、各リソース設定においてＵＥ１０に通知され得る。
【００７２】
図１１に示すように、ステップＳ３０１で、ＴＲＰ２０は、リソース設定、ＣＳＩ報告設定、およびリンクを含むＣＳＩプロセスを送信してもよい。本発明の第３の例の１つまたは複数の実施形態では、リソース設定はリソースセットを含む。例えば、図１１に示すように、リソース設定＃０は、リソースセット＃０−０、＃０−１、および＃０−２を含む。リソース設定＃１は、リソースセット＃１−０を含む。リソース設定＃２は、リソースセット＃２−０、＃２−１を含む。
【００７３】
（第３変形例）
本発明の第３の変形例の１つ以上の実施形態によれば、リソースセットとリソース設定は別々に通知されてもよい。図１２に示すように、ステップＳ３００で、ＴＲＰ２０は、各リソースセットを示すリソースセット設定を送信することができる。次に、ステップＳ３０１ａにおいて、ＴＲＰ２０は、リソースセットのインデックスを含むリソース設定を送信することができる。
【００７４】
さらに、リソースセット設定は、チャネル管理および干渉測定から独立していてもよく、またはチャネル管理および干渉測定に共通であってもよい。
【００７５】
（第４の例）
本発明の第４の例の１つ以上の実施形態によれば、「ＣＳＩ−ＲＳリソース設定」は、ＵＥ１０に各リソースセットにおいて通知されてもよい。ＣＳＩ−ＲＳリソース設定は、ＣＳＩ−ＲＳを受信するために使用され得る情報であってもよい。例えば、ＣＳＩ−ＲＳリソース設定は、アンテナポート（ＡＰ）の数、ＲＥ位置を示すリソース要素（ＲＥ）情報、送信周期、タイミングオフセット、周波数位置、符号分割多重（ＣＤＭ）情報、多重化密度が含まれる。
【００７６】
図１３に示すように、ステップＳ４０１で、ＣＳＩプロセス内のリソース設定は、リソースセット設定およびＣＳＩ−ＲＳリソース設定を含んでいてもよい。各ＣＳＩ−ＲＳリソース＃０〜＃７には、ＡＰ（ＡＰの数）、ＲＥ情報などを含む。
【００７７】
（第４変形例）
本発明の第４の変形例の１つ以上の実施形態によれば、リソースセット設定およびＣＳＩ−ＲＳリソース設定は別々に通知されてもよい。図１４に示されるように、ステップＳ４００で、ＴＲＰ２０は、ＣＳＩ−ＲＳリソース設定を送信することができる。次に、ステップＳ４０１ａで、ＴＲＰ２０は、ＣＳＩ−ＲＳリソースのインデックスを示すリソースセット設定を送信してもよい。
【００７８】
（第５の例）
本発明の１つ以上の実施形態では、各リソース設定は１つ以上のリソースセットを含む。本発明の第５の例の１つまたは複数の実施形態によれば、１つまたは複数のリソースセットのそれぞれにオン（アクティブ化）またはオフ（非アクティブ化）が設定されてもよい。言い換えれば、各リソースセットは個別にオン／オフされてもよい。すなわち、各リソースセットの「オン／オフ」が指定されてもよい。各リソースセットでは、同じＣＳＩ−ＲＳリソースセット内のＣＳＩ−ＲＳリソースの共通の「オン／オフ」が指定されてもよい。
【００７９】
図１５に示すように、本発明の第５の実施形態の１つ以上の実施形態によれば、各リソース設定で設定されたリソースのみの「オン」を指定されてもよい。つまり、「オン（アクティブ化）」が１つ以上のリソースセットのうちの１つに設定される。
【００８０】
図１６に示すように、本発明の第５の例の１つまたは複数の実施形態によれば、各リソース設定内の複数のリソースセットの「オン」の指定が許容されてもよい。ＵＥ１０は、「オン」が指定されている複数のリソースセット内のＣＳＩ−ＲＳリソースを使用してＣＳＩ取得を実行してもよい。
【００８１】
本発明の第５の例の１つ以上の実施形態によれば、「オン／オフ」は、階層的な方法で通知される。例えば、リソースセットとリソース設定の両方について「オン/オフ」が通知されてもよい。別の例として、ＣＳＩ−ＲＳリソースとリソース設定の両方について「オン/オフ」が通知されてもよい。
【００８２】
（ＴＲＰの構成）
本発明の１つ以上の実施形態によるＴＲＰ２０を、図１７を参照して以下に説明する。図１７は、本発明の実施形態に係るＴＲＰ２０の概略構成を示す図である。ＴＲＰ２０は、複数のアンテナ（アンテナ素子群）２０１、増幅器２０２、トランシーバ（送信機／受信機）２０３、ベースバンド信号プロセッサ２０４、呼プロセッサ２０５、および伝送路インターフェース２０６を含んでいてもよい。
【００８３】
ＤＬでＴＲＰ２０からＵＥ２０に送信されるユーザデータは、コアネットワーク３０から送信経路インターフェース２０６を介してベースバンド信号プロセッサ２０４に入力される。
【００８４】
ベースバンド信号プロセッサ２０４において、信号は、パケットデータ収束プロトコル（ＰＤＣＰ）層処理、ユーザデータの分割および結合などの無線リンク制御（ＲＬＣ）層送信処理、およびＲＬＣ再送信制御送信処理、メディアアクセス制御（ＭＡＣ）再送信制御に従い、例えば、ＨＡＲＱ送信処理、スケジューリング、トランスポートフォーマット選択、チャネルコーディング、逆高速フーリエ変換（ＩＦＦＴ）処理、およびプリコーディング処理を含む。そして、得られた信号は各送受信機２０３に転送される。ＤＬ制御チャネルの信号については、チャネル符号化や逆高速フーリエ変換などの送信処理が行われ、得られた信号が各トランシーバ２０３に送信される。
【００８５】
ベースバンド信号プロセッサ２０４は、各ＵＥ１０に、セル内の通信のための制御情報（システム情報）を上位レイヤシグナリング（例えば、ＲＲＣシグナリングおよびブロードキャストチャネル）によって通知する。セル内の通信に関する情報は、例えば、ＵＬまたはＤＬシステム帯域幅を含む。
【００８６】
各送受信機２０３では、アンテナごとにプリコーディングされ、ベースバンド信号処理部２０４から出力されるベースバンド信号は、無線周波数帯域への周波数変換処理が施される。増幅器２０２は、周波数変換された無線周波数信号を増幅し、得られた信号はアンテナ２０１から送信される。
【００８７】
ＵＥ１０からＴＲＰ２０にＵＬで送信されるデータについては、無線周波数信号が各アンテナ２０１で受信され、増幅器２０２で増幅され、周波数変換され、トランシーバ２０３でベースバンド信号に変換され、ベースバンド信号プロセッサ２０4に入力される。
【００８８】
ベースバンド信号処理部２０４は、受信したベースバンド信号に含まれるユーザデータに対して、ＦＦＴ処理、ＩＤＦＴ処理、誤り訂正復号、ＭＡＣ再送制御受信処理、ＲＬＣレイヤおよびＰＤＣＰレイヤ受信処理を行う。そして、その結果の信号は、伝送路インターフェース２０６を介してコアネットワーク３０に転送される。呼処理部２０５は、通信チャネルの設定や解放などの呼処理を行い、ＴＲＰ２０の状態を管理し、無線リソースを管理する。
【００８９】
（ユーザ端末の構成）
本発明の１つまたは複数の実施形態によるＵＥ１０を、図１８を参照して以下に説明する。図１８は、本発明の実施形態に係るＵＥ１０の概略構成である。ＵＥ１０は、複数のＵＥアンテナ１０１、増幅器１０２、トランシーバ（送信機／受信機）１０３１を含む回路１０３、コントローラ１０４、およびアプリケーション１０５を有する。
【００９０】
ＤＬについては、ＵＥアンテナ１０１で受信された無線周波数信号は、各増幅器１０２で増幅され、トランシーバ１０３１でベースバンド信号に周波数変換される。これらのベースバンド信号は、コントローラ１０４でＦＦＴ処理、誤り訂正復号、再送制御などの受信処理が行われる。ＤＬユーザデータは、アプリケーション１０５に転送される。アプリケーション１０５は、物理レイヤおよびＭＡＣレイヤよりも上位のレイヤに関連する処理を実行する。下りリンクデータでは、ブロードキャスト情報もアプリケーション１０５に転送される。
【００９１】
一方、ＵＬユーザデータは、アプリケーション１０５からコントローラ１０４に入力される。コントローラ１０４では、再送制御（ハイブリッドＡＲＱ）送信処理、チャネルコーディング、プリコーディング、ＤＦＴ処理、ＩＦＦＴ処理などが行われ、得られた信号が各トランシーバ１０３１に転送される。トランシーバ１０３１では、コントローラ１０４から出力されたベースバンド信号が無線周波数帯域に変換される。その後、周波数変換された無線周波数信号は増幅器１０２で増幅された後、アンテナ１０１から送信される。
【００９２】
（別の例）
本発明の１つ以上の実施形態は、上りリンクおよび下りリンクのそれぞれに独立して使用されてもよい。本発明の１つ以上の実施形態は、上りリンクと下りリンクの両方に共通して使用されてもよい。
【００９３】
本開示は、ＮＲに基づくチャネルおよびシグナリング方式の例を主に説明したが、本発明はそれに限定されない。本発明の１つまたは複数の実施形態は、ＬＴＥ／ＬＴＥ−ＡなどのＮＲと同じ機能を有する別のチャネルおよびシグナリング方式、および新しく定義されたチャネルおよびシグナリング方式を適用してもよい。
【００９４】
本開示は、主にＣＳＩ−ＲＳに基づく技術の例を説明したが、本発明はそれに限定されない。本発明の１つまたは複数の実施形態は、プライマリ同期信号／セカンダリ同期信号（ＰＳＳ／ＳＳＳ）、サウンディング参照信号（ＳＲＳ）などの別の同期信号、参照信号、物理チャネルを適用してもよい。
【００９５】
本開示は、様々なシグナリング方法の例を説明したが、本発明の１つ以上の実施形態によるシグナリングは、明示的または暗黙的に実行されてもよい。
【００９６】
本開示は主に様々なシグナリング方法の例を説明したが、本発明の１つ以上の実施形態によるシグナリングは、ＲＲＣシグナリングなどの上位レイヤシグナリングおよび／またはＤＣＩなどの下位レイヤシグナリング、ＭＡＣ  ＣＥであってもよい。さらに、本発明の１つ以上の実施形態によるシグナリングは、マスター情報ブロック（ＭＩＢ）および／またはシステム情報ブロック（ＳＩＢ）を使用してもよい。例えば、ＲＲＣ、ＤＣＩ、およびＭＡＣ  ＣＥのうちの少なくとも２つは、本発明の１つまたは複数の実施形態によるシグナリングとして組み合わせて使用されてもよい。
【００９７】
上記の例と変形例は互いに組み合わされてもよく、これらの例の様々な特徴は、様々な組み合わせで互いに組み合わされてもよい。本発明は、本明細書に開示された特定の組み合わせに限定されない。
【００９８】
本開示は限られた数の実施形態のみに関して説明されたが、本開示の利益を有する当業者は、本発明の範囲から逸脱することなく他の様々な実施形態が考案され得ることを認識する。したがって、本発明の範囲は、添付の特許請求の範囲によってのみ制限されるべきである。
【図１】
2020519124.tif 000003
【図２】
2020519124.tif 000004
【図３】
2020519124.tif 000005
【図４】
2020519124.tif 000006
【図５】
2020519124.tif 000007
【図６】
2020519124.tif 000008
【図７】
2020519124.tif 000009
【図８】
2020519124.tif 000010
【図９】
2020519124.tif 000011
【図１０】
2020519124.tif 000012
【図１１】
2020519124.tif 000013
【図１２】
2020519124.tif 000014
【図１３】
2020519124.tif 000015
【図１４】
2020519124.tif 000016
【図１５】
2020519124.tif 000017
【図１６】
2020519124.tif 000018
【図１７】
2020519124.tif 000019
【図１８】
2020519124.tif 000020
【国際調査報告】
2020519124.tif 000021
2020519124.tif 000022